(57)【要約】  【課題】  使用者の携帯性を阻害することなく非接触式ＩＣに対する不正通信を防止できる携帯端末および携帯端末用カバーを提供する。  【解決手段】  非接触式のリーダ／ライタの電磁波を遮断する遮断部２１が携帯端末用カバー２０に設けられているので、不使用時には遮断部２１により携帯端末１０に設けられている非接触式ＩＣ３０の高感度位置を被覆することができ、スキミング等の不正通信を防止できる。また、使用時には、遮断部２１を非接触式ＩＣ３０の高感度位置から移動させることにより、非接触式のリーダ／ライタとの間で通信が可能になる。さらに、遮断部２１は携帯端末用カバー２０に設けられているので、別途携帯端末を収容する物入れ等は必要なく、携帯性を損なうことなく不正通信を防止できる。【選択図】  図１
2006295547.tif 000002
【特許請求の範囲】
【請求項１】
非接触式のリーダ／ライタと通信可能な非接触式ＩＣが筐体に収容された携帯端末に取り付けられる携帯端末用カバーであって、
前記リーダ／ライタの電磁波を遮断する遮断部が設けられているとともに、前記筐体における前記非接触式ＩＣの受信感度が高い高感度位置を前記遮断部が被覆可能とされ、かつ、前記遮断部を初期位置から移動可能であることを特徴とする携帯端末用カバー。
【請求項２】
非接触式のリーダ／ライタと通信可能な非接触式ＩＣが筐体に収容された携帯端末であって、
前記リーダ／ライタの電磁波を遮断する遮断部が設けられているとともに、前記筐体の少なくとも一部を覆うカバーを有し、
前記カバーが、前記非接触式ＩＣの受信感度が高い高感度位置を被覆するように前記遮断部を配置可能であることを特徴とする携帯端末。
【請求項３】
前記カバーに設けられ、前記電磁波が通過可能な通過部を有し、
前記カバーが前記筐体に沿って直線移動することにより、前記高感度位置に対して前記遮断部および前記通過部を選択的に配置可能であることを特徴とする請求項２記載の携帯端末。
【請求項４】
前記カバーに設けられ、前記電磁波が通過可能な通過部を有し、
前記カバーの少なくとも一部が前記筐体に沿って回転移動することにより、前記高感度位置に対して前記遮断部および前記通過部を選択的に配置可能であることを特徴とする請求項２記載の携帯端末。
【請求項５】
前記カバーが前記筐体に対して着脱可能であることを特徴とする請求項２記載の携帯端末。
【請求項６】
前記筐体内において前記非接触式ＩＣを収容するとともに前記高感度位置に向けて開口し、かつ、前記電磁波を遮断する有底枠状の収容部を有していることを特徴とする請求項２ないし請求項５のいずれかに記載の携帯端末。
【発明の詳細な説明】
【技術分野】
【０００１】
本発明は、非接触式の通信が可能な非接触式ＩＣを筐体に収容した携帯端末および携帯端末用カバーに関するものである。
【背景技術】
【０００２】
近年、筐体に非接触式ＩＣを収容した携帯端末が提案されている（例えば特許文献１参照）。
非接触式ＩＣは、非接触式のリーダ／ライタが発する電波を内蔵アンテナにより受信し、電磁誘導等により発生した磁界により電力を得て起動する。そして、非接触式ＩＣは、磁界の範囲内でリーダ／ライタと通信可能となる。このような携帯端末は、外出した使用者が駅改札口や各種小売店等においてリーダ／ライタに筐体をかざすことにより、非接触式ＩＣの情報を読み取らせ、使用者の金融機関口座からの引き落としにより所定金額を支払うシステムの一部を構成している。
【０００３】
ところで、リーダ／ライタにより通信を行う非接触式ＩＣの特性上の理由から、非接触式ＩＣを備えた携帯端末は、使用者の承諾を得ることなく悪意を持つ第三者により非接触式ＩＣの情報が不正に読み取られたり、あるいは書き換えられたりするいわゆるスキミングの可能性がある。このような問題に対して、例えば磁気遮断および電磁波遮断するスキミング防護層を収納部に形成した携帯用物入れが提案されている（例えば特許文献１参照）。
【特許文献１】特開２００２−２２２４４２号公報
【特許文献２】実用新案登録第３１０６０９４号公報
【発明の開示】
【発明が解決しようとする課題】
【０００４】
しかしながら、特許文献２に記載されている技術では、携帯端末を専用の携帯用物入れに収容する必要があるため、外出時に使用者の持ち物が増えるという問題があった。
【０００５】
本発明は、従来の問題を解決するためになされたものであり、その目的は、使用者の携帯性を阻害することなく非接触式ＩＣに対する不正通信を防止できる携帯端末および携帯端末用カバーを提供することにある。
【課題を解決するための手段】
【０００６】
本発明の携帯端末用カバーは、非接触式のリーダ／ライタと通信可能な非接触式ＩＣが筐体に収容された携帯端末に取り付けられる携帯端末用カバーであって、前記リーダ／ライタの電磁波を遮断する遮断部が設けられているとともに、前記筐体における前記非接触式ＩＣの受信感度が高い高感度位置を前記遮断部が被覆可能とされ、かつ、前記遮断部を初期位置から移動可能である構成を有している。
【０００７】
この構成により、非接触式のリーダ／ライタの電磁波を遮断する遮断部が携帯端末用カバーに設けられているので、不使用時には遮断部により携帯端末に設けられている非接触式ＩＣの高感度位置を被覆することができ、スキミング等の不正通信を防止できる。
また、使用時には、遮断部を非接触式ＩＣの高感度位置から移動させることにより、非接触式のリーダ／ライタとの間で通信が可能になる。さらに、遮断部は携帯端末用カバーに設けられているので、別途携帯端末を収容する物入れ等は必要なく、携帯性を損なうことなく不正通信を防止できる。
【０００８】
また、本発明の携帯端末は、非接触式のリーダ／ライタと通信可能な非接触式ＩＣが筐体に収容された携帯端末であって、前記リーダ／ライタの電磁波を遮断する遮断部が設けられているとともに、前記筐体の少なくとも一部を覆うカバーを有し、前記カバーが、前記非接触式ＩＣの受信感度が高い高感度位置を被覆するように前記遮断部を配置可能である構成を有している。
【０００９】
この構成により、カバーに設けられている遮断部により筐体に収容されている非接触式ＩＣの受信感度が高い高感度位置を被覆可能であるので、不使用時には遮断部により携帯端末に設けられている非接触式ＩＣの高感度位置を被覆することができ、スキミング等の不正通信を防止できる。
また、遮断部は携帯端末用カバーに設けられているので、別途携帯端末を収容する物入れ等は必要なく、携帯性を損なうことなく不正通信を防止できる。
【００１０】
さらに、本発明の携帯端末は、前記カバーに設けられ、前記電磁波が通過可能な通過部を有し、前記カバーが前記筐体に沿って直線移動することにより、前記高感度位置に対して前記遮断部および前記通過部を選択的に配置可能である構成を有している。
【００１１】
この構成により、電磁波が通過可能な通過部および電磁波を遮断する遮断部を有するカバーは筐体に沿って移動可能であるため、非接触式ＩＣにより通信を行う場合には通過部を高感度位置に移動させ、不使用時には遮断部を高感度位置に移動させる。
これにより、不使用時にはスキミング等の不正通信を防止できるとともに、カバーをスライドさせることにより非接触式ＩＣを使用できる。
【００１２】
さらに、本発明の携帯端末は、前記カバーに設けられ、前記電磁波が通過可能な通過部を有し、前記カバーの少なくとも一部が前記筐体に沿って回転移動することにより、前記高感度位置に対して前記遮断部および前記通過部を選択的に配置可能である構成を有している。
【００１３】
この構成により、電磁波が通過可能な通過部および電磁波を遮断する遮断部を有するカバーは筐体に沿って回転移動可能であるため、非接触式ＩＣにより通信を行う場合にはカバーを回転させて通過部を高感度位置に移動させ、不使用時には遮断部を高感度位置に移動させる。
これにより、不使用時にはスキミング等の不正通信を防止できるとともに、カバーを回転させることにより非接触式ＩＣを使用できる。
【００１４】
さらに、本発明の携帯端末は、前記カバーが前記筐体に対して着脱可能である構成を有している。
【００１５】
この構成により、電磁波が通過可能な通過部および電磁波を遮断する遮断部を有するカバーは、筐体から容易に取り外すことができ、交換も可能である。
【００１６】
さらに、本発明の携帯端末は、前記筐体内において前記非接触式ＩＣを収容するとともに前記高感度位置に向けて開口し、かつ、前記電磁波を遮断する有底枠状の収容部を有している。
【００１７】
この構成により、有底枠状の収容部に収容された非接触式ＩＣは、収容部の開口側からの電磁波のみ受信できるので、開口を遮断部により被覆することにより、非接触式ＩＣによる通信を完全に遮断できる。
【発明の効果】
【００１８】
本発明は、不使用時には携帯端末用カバーに設けられている遮断部が非接触式ＩＣの高感度位置を被覆するのでスキミング等の不正通信を防止できるとともに、使用時には遮断部を非接触式ＩＣの高感度位置から移動させることにより、非接触式のリーダ／ライタとの間で通信が可能になるので、携帯性を損なうことなく不正通信を防止できるという効果を有する携帯端末および携帯端末用カバーを提供できるものである。
【発明を実施するための最良の形態】
【００１９】
以下、本発明の実施形態の携帯端末および携帯端末用カバーについて、図面を用いて説明する。
図１（Ａ）は本発明の第１実施形態の携帯端末に携帯端末用カバーを装着して非接触式ＩＣを使用しない状態を示す斜視図、図１（Ｂ）は携帯端末を示す斜視図、図１（Ｃ）は非接触式ＩＣを使用する状態を示す斜視図である。
【００２０】
図１（Ａ）に示すように、携帯端末１０は、非接触式のリーダ／ライタ（図示省略）と通信可能な非接触式ＩＣ３０が筐体１１（ここでは例えば上筐体１１）に収容されたものであって、外側に少なくとも一部を覆う携帯端末用カバー２０が取り付けられている。
携帯端末１０は、例えば、上筐体１１と、下筐体１２と、両筐体１１、１２を回動可能に連結する連結部１３とを有しており、使用形態に応じて両筐体１１、１２を開閉できるようになっている。
【００２１】
図１（Ｂ）に示すように、上筐体１１の裏面１１ａは非接触式ＩＣ３０を収容するとともに高感度位置に向けて開口し、かつ、電磁波を遮断する有底枠状の収容部１４を有している。
すなわち、収容部１４としては、例えば上筐体１１の裏面１１ａに矩形状の開口部１４ａを設け、この開口部１４ａに、底部１４ｂおよび側壁１４ｃを有する箱状部材を埋め込んだものである。底部１４ｂおよび側壁１４ｃはいずれも電磁波を遮断する材料から構成されており、従って電磁波は、上筐体１１の裏面１１ａに設けた開口部１４ａからのみ非接触式ＩＣ３０に届くことができ、開口部１４ａの前方が非接触式ＩＣ３０の受信感度が高い高感度位置となっている。
ただし、収納部１４の上面は、開口部１４ａ様に上筐体１１の一部分が切欠かれている必要は特になく、開口部１４ａ相当の部分を通じて、非接触式ＩＣ３０が外部のリーダ／ライタと通信可能となっていれば、いかなる構成としても良い。
【００２２】
図１（Ａ）および（Ｃ）に示すように、携帯端末用カバー２０は、非接触式のリーダ／ライタと通信可能な非接触式ＩＣ３０が収容されている上筐体１１に取り付けられている。
携帯端末用カバー２０には、リーダ／ライタの電磁波を遮断する遮断部２１が設けられているとともに、上筐体１１における高感度位置を遮断部２１が被覆可能とされ、かつ、遮断部２１を初期位置（図１（Ａ）に示す位置）から移動可能となっている。
【００２３】
また、カバー２０は、電磁波が通過可能な通過部２２を有している。通過部２２は単にカバー２０を切欠くことによって設けることもできるが、切欠いた部分を電磁波を通過させる材質の物で覆うのがよい。
特に、通過部２２と見分けがつかないように設けるのが外観を損なわないので望ましい。
【００２４】
図１（Ｃ）において矢印で示すように、カバー２０は上筐体１１に沿って直線移動することにより、高感度位置に対して遮断部２１および通過部２２を選択的に配置可能となっている。このため、カバー２０は、上筐体１１の裏面１１ａを覆う本体面２０ａと、上筐体１１の側面１１ｂに沿ってガイドするガイド面２０ｂを有している。
ガイド面２０ｂの高さを上筐体１１の側面１１ｂの途中までとするとともに、上筐体１１の側面１１ｂに長手方向に沿ってガイド溝１１ｃを設け、ガイド面２０ｂの下端部がガイド溝１１ｃに沿ってスライドするようにできる。あるいは、ガイド面２０ｂの下端部を上筐体１１の表面側に回り込ませて、上筐体１１を抱きかかえるようにしてスライドするようにすることもできる。
なお、カバー２０は上筐体１１の裏面１１ａ全体を覆う大きさであってもよいが、少なくとも上筐体１１ａの先端から非接触式ＩＣ３０の収納部１４を覆う大きさがあれば足りる。
【００２５】
カバー２０は、図１（Ａ）に示す非接触式ＩＣ３０への電磁波を遮断する初期位置と、図１（Ｃ）に示す非接触式ＩＣ３０への電磁波を通過させる通信位置とに位置決め可能であるようにするのが望ましい。すなわち、カバー２０を押し込めば図１（Ａ）の初期位置となり、カバー２０を引き出すと図１（Ｃ）の通信位置に停止して位置決めされるようにする。
これにより、非接触式ＩＣ３０による通信時に、使用者が通過部２２を収容部１４の開口部１４ａに合わせて位置決めする手間が必要でなく、また、遮断部２１と通過部２２とが外観上区別できる必要もなくなる。
【００２６】
以上のように構成された携帯端末１０および携帯端末用カバー２０について、その動作を説明する。
まず、携帯端末１０の不使用時や、電話やメール等の使用時、すなわち非接触式IＣ３０の不使用時には、図１（Ａ）に示すように、カバー２０を上筐体１１に押し込んで、カバー２０の通過部２２を非接触式ＩＣ３０の収容部１４から外れた初期位置に位置決めしておく。
そして、交通機関の改札口や売店で物を購入する際等非接触式ＩＣ３０を用いて通信する場合には、カバー２０を上筐体１１に沿って引き出し、カバー２０の通過部２２を非接触式ＩＣ３０の収容部１４の開口部１４ａに合わせる。使用後は、カバー２０を初期位置まで押し込む。
【００２７】
このような本発明の第１実施形態の携帯端末１０および携帯端末用カバー２０によれば、不使用時には携帯端末用カバー２０に設けられている遮断部２１が非接触式ＩＣ３０の高感度位置を被覆するのでスキミング等の不正通信を防止できるとともに、使用時には遮断部２１を非接触式ＩＣ３０の高感度位置から移動させることにより、非接触式のリーダ／ライタとの間で通信が可能になるので、携帯性を損なうことなく不正通信を防止できる。
【００２８】
なお、前述した第１実施形態においては、非接触式ＩＣ３０を上筐体１１に設けたためカバー２０も上筐体１１に設けた場合について説明したが、非接触式ＩＣ３０を下筐体１２に設けた場合には、カバー２０も下筐体１２に設けることはいうまでもない。また、カバー２０を上下両筐体１１、１２に設けることも可能であるが、非接触式ＩＣ３０が設けられている方の筐体１１、１２については、カバー２０をスライド移動可能とする。
また、上筐体１１に設けられている非接触式ＩＣの収容部１４を矩形とした場合について説明したが、これに限らず、その他の形状とすることもできる。
【００２９】
次に、図２（Ａ）および（Ｂ）に基づいて、本発明の第２実施形態について説明する。
なお、前述した第１実施形態と共通する部位には同じ符号を付して、重複する説明を省略することとする。
【００３０】
この携帯端末用カバー２０Ｂでは、カバー２０Ｂの少なくとも一部が筐体１１（１２）に沿って回転移動することにより、高感度位置に対して遮断部２１および通過部２２を選択的に配置可能である。
カバー２０Ｂは、電磁波を遮断する材料で形成されて例えば円板状をしており、その一部に円形の通過部２２を設けてある。従って、通過部２２以外の部分は遮断部２１である。カバー２０Ｂは上筐体１１の裏面１１ａに直接回転可能に設けるようにしてもよいが、上筐体１１全体を覆うようなカバーを設け、このカバーの一部に円形のカバー２０Ｂを回転可能に設けるようにしてもよい。
【００３１】
以上のように構成された携帯端末１０および携帯端末用カバー２０Ｂについて、その動作を説明する。
まず、携帯端末１０の不使用時や、電話やメール等の使用時、すなわち非接触式IＣ３０の不使用時には、図２（Ｂ）に示すように、カバー２０Ｂを回転させて、通過部２２が非接触式ＩＣ３０の収容部１４から外れた初期位置に位置決めしておく。
そして、非接触式ＩＣ３０を用いて通信する場合には、図２（Ａ）に示すように、カバー２０Ｂを上筐体１１上で回転させて、カバー２０Ｂの通過部２２を非接触式ＩＣ３０の収容部１４の開口部１４ａに合わせる。使用後は、カバー２０を回転させて初期位置に位置決めする。
【００３２】
このような本発明の第２実施形態の携帯端末１０および携帯端末用カバー２０Ｂによれば、不使用時には携帯端末用カバー２０Ｂに設けられている遮断部２１が非接触式ＩＣ３０の高感度位置を被覆するのでスキミング等の不正通信を防止できるとともに、使用時にはカバー２０Ｂを回転させて通過部２２を非接触式ＩＣ３０の高感度位置に移動させることにより、非接触式のリーダ／ライタとの間で容易に通信が可能になるので、携帯性を損なうことなく不正通信を防止できる。
【００３３】
なお、図２においては、上筐体１１に設けられている収容部１４を円形とし、開口部１４ａ、底部１４ｂ、側壁１４ｃ等を円形としたが、これに限らない。第１実施形態で示したように矩形としてもよいし、その他の形状とすることもできる。
【００３４】
次に、図３（Ａ）〜（Ｃ）に基づいて、本発明の第３実施形態について説明する。なお、前述した第１実施形態あるいは第２実施形態と共通する部位には同じ符号を付して、重複する説明を省略することとする。
【００３５】
この携帯端末用カバー２０Ｃは、非接触式ＩＣ３０が設けられている上筐体１１に対して、着脱自在に設けられている。カバー２０Ｃは電磁波を遮断する材料で形成されており、少なくとも非接触式ＩＣ３０の収容部１４の開口部１４ａを覆うことができる構造となっている。
従って、上筐体１１の裏面全体を覆うものであってもよいが、少なくとも収容部１４を覆う大きさがあればよい。
【００３６】
以上のように構成された携帯端末１０および携帯端末用カバー２０Ｃについて、その動作を説明する。
まず、携帯端末１０の不使用時や、電話やメール等の使用時、すなわち非接触式IＣ３０の不使用時には、図３（Ａ）に示すように、カバー２０Ｃを上筐体１１に被せて、遮断部２１が非接触式ＩＣ３０の収容部１４を覆うようにする。
そして、非接触式ＩＣ３０を用いて通信する場合には、カバー２０Ｃを上筐体１１から取り外して、非接触式ＩＣ３０を露出させる。使用後は、再びカバー２０を上筐体１１に被せる。
【００３７】
このような本発明の第３実施形態の携帯端末１０および携帯端末用カバー２０Ｃによれば、不使用時には電磁波を遮断する材料からなる携帯端末用カバー２０Ｃが非接触式ＩＣ３０の高感度位置を被覆するのでスキミング等の不正通信を防止できる。また、使用時にはカバー２０Ｃを取り外すことにより、非接触式のリーダ／ライタとの間で容易に通信が可能になるので、携帯性を損なうことなく不正通信を防止できる。
【００３８】
なお、以上の説明した各実施形態においては、携帯端末１０として、連結部１３に上下筐体１１、１２を回動自在に連結し、必要に応じて開閉して使用する折りたたみタイプのものを例示したが、これに限るものではない。
例えば、上下両筐体が相互にスライドするタイプや、同一平面内において回転するタイプのものでもよい。あるいは、折りたたみ式ではないストレートタイプのものでも同様に実施可能である。
【産業上の利用可能性】
【００３９】
以上のように、本発明にかかる携帯端末および携帯端末用カバーは、不使用時には携帯端末用カバーに設けられている遮断部が非接触式ＩＣの高感度位置を被覆するのでスキミング等の不正通信を防止できるとともに、使用時には遮断部を非接触式ＩＣの高感度位置から移動させることにより、非接触式のリーダ／ライタとの間で容易に通信が可能になるので、携帯性を損なうことなく不正通信を防止できるという効果を有し、非接触式の通信が可能な非接触式ＩＣを筐体に収容した携帯端末および携帯端末用カバー等として有用である。
【図面の簡単な説明】
【００４０】
【図１】（Ａ）は本発明の第１実施形態の携帯端末に携帯端末用カバーを装着して非接触式ＩＣを使用しない状態を示す斜視図、（Ｂ）は携帯端末を示す斜視図、（Ｃ）は非接触式ＩＣを使用する状態を示す斜視図である。
【図２】（Ａ）は本発明の第２実施形態を示す分解斜視図、（Ｂ）は非接触式ＩＣを使用しない状態を示す斜視図である。
【図３】（Ａ）は本発明の第３実施形態の携帯端末に携帯端末用カバーを装着して非接触式ＩＣを使用しない状態を示す斜視図、（Ｂ）は携帯端末を示す斜視図、（Ｃ）は非接触式ＩＣを使用する状態を示す斜視図である。
【符号の説明】
【００４１】
１０  携帯端末
１１  上筐体（筐体）
１４  収容部
２０、２０Ｂ、２０Ｃ  携帯端末用カバー
２１  遮断部
２２  通過部
３０  非接触式ＩＣ
【図１】
2006295547.tif 000003
【図２】
2006295547.tif 000004
【図３】
2006295547.tif 000005